(57)【要約】【課題】空間用電磁場形成装置であって、電位・電磁場の強弱等の調節が容易にでき、目的とする一定の閉鎖空間における空気中のイオンバランスに変位を与え、あるいはマイナスイオンの偏在を促進させる。【解決手段】機器本体２は、昇圧トランスの一次側と二次側との間に接続され抵抗値の設定された抵抗器と、二次側出力に直列及び並列にそれぞれ接続され、抵抗値の設定された直列抵抗器及び並列抵抗器とを有している。この機器本体２の直列抵抗器の開放端にシート状の網状電極体３が接続される。この網状電極体３は密閉空間（例えば居住空間１０）に配置される。この構成により、密閉空間に電磁場が形成され、並列抵抗器及び直列抵抗器の設定により電位・電磁場の強弱調節が可能で、密閉空間に存在する空気中のイオンバランスに変位を与え、あるいはマイナスイオンの偏在を促進させることができ、空気を好適に保つことができる。【選択図】図１
2007242240.tif 000002
【特許請求の範囲】
【請求項１】
電位と電磁界を空間に与えることで、空気中に存在するイオンバランスの偏在を促進させる空間用電磁場形成装置であって、
交流電源に一次側が接続される昇圧トランスと、この昇圧トランスの一次側と二次側との間に接続され抵抗値の設定された抵抗器と、二次側出力に直列及び並列にそれぞれ接続され、抵抗値の設定された直列抵抗器及び並列抵抗器とを有した機器本体と、
前記機器本体の直列抵抗器の開放端に接続される電極体と、を備え、
前記電極体を閉鎖空間に配置し、前記機器本体と電極体との間を電線で接続したことを特徴とする空間用電磁場形成装置。
【発明の詳細な説明】
【技術分野】
【０００１】
本発明は、閉鎖空間に電位を供与し、空気中のイオンバランス構成に変位を生じさせることを目的とした空間用電磁場形成装置に関する。
【背景技術】
【０００２】
従来から、人体の健康維持及び増進、自律神経の調整や生鮮食品類の鮮度維持など、「水分」が関与する空間の電位、特にマイナスイオンが有効に作用するとされている。例えば、住環境においては、大量の水しぶきが舞い上がっている滝つぼや噴水の近傍、あるいは植物が多く存在する空間にはマイナスイオンが豊富に存在しており、心地良さを感じ、ストレスの解消になることが知られている。
一定の閉鎖空間に電位・電磁場を生じさせ、その空気中のイオンバランスに変位を生じさせ、あるいはマイナスイオンの偏在を促進させることで効果が得られるようにするために、導電性金属箔を防水性のあるプラスチックシートで絶縁被覆し、前記導電性金属箔に単一の接続端子を設けたマイナスイオン発生用建築床シートが提案されている（例えば、特許文献１参照）。
ところで、空間内に電磁場を形成するとマイナスイオンが生成するものと考えられているが、前記マイナスイオン発生用建築床シートはマイナスイオンの生成について電磁場の強弱等の調節ができないという問題があった。
【特許文献１】特開２００５−２３６１８号公報
【発明の開示】
【発明が解決しようとする課題】
【０００３】
そこで、本発明は、一定の閉鎖空間（例えば、住居、ホテル、車両、教室、ホール、会館、倉庫、容器、反応槽、冷蔵冷凍庫、など）における空気中のイオンバランスに変位を与え、あるいはマイナスイオンの偏在を促進させるための電位・電磁場の強弱等の調整が容易にでき、設置の容易な空間用電磁場形成装置を提供することを目的とする。
【課題を解決するための手段】
【０００４】
上記課題を解決するために、本発明は、電位と電磁界を目的とする閉鎖空間に与えることで、その空気中のイオンバランスに変位を生じさせ、あるいはマイナスイオンの偏在を促進させる空間用電磁場形成装置であって、交流電源に一次側が接続される昇圧トランスと、この昇圧トランスの一次側と二次側との間に接続され抵抗値の設定された抵抗器と、二次側出力に直列及び並列にそれぞれ接続され、抵抗値の設定された直列抵抗器及び並列抵抗器とを有した機器本体と、前記機器本体の直列抵抗器の開放端に接続される電極体と、を備え、前記電極体を閉鎖空間に配置し、前記機器本体と電極体との間を電線で接続したものである。電極体は、導電体（例えば、金属、炭素繊維など）をシート状、フィルム状、ネット状又は端子状に加工し、電気的絶縁性の防水素材で絶縁被覆したものである。
【発明の効果】
【０００５】
本発明の空間用電磁場形成装置によれば、電極体により閉鎖空間に電磁場が形成され、昇圧トランスに対して接続された並列抵抗器及び直列抵抗器の設定により電磁場の強弱調節が可能で、従って、閉鎖空間の電位・電磁場強度を変化させることができる。この電位・電磁場により目的とする閉鎖空間の気中イオンバランスに変位を生じさせ、あるいはマイナスイオンの偏在を促進させることで、空気を好適条件に保つことができる。この電極体は、使用目的に適した形状にすることができ、居住空間（例えば、住居、ホテル、車両、教室、ホール、会館等）では床面やその下側、壁面やその内側、天井面やその上側、柱面やその面材の下張り、などに設置することができる。また、その効果は、目的とする空間のマイナスイオン量や揮発成分（ＶＯＣなど）量の存在変位、変化によって確認できる。
【発明を実施するための最良の形態】
【０００６】
以下、本発明の一実施形態に係る居住空間用電磁場形成装置を、図１及び図２を参照して説明する。図１は、本実施形態に係る居住空間用電磁場形成装置１の居住空間への設置例を示し、図２は同装置の回路構成を示す。居住空間用電磁場形成装置１は、機器本体２と、機器本体２に電線９で接続された電極体３とを備える。電極体３は、本実施形態では、シート状の網状電極とされており、網状電極体という。機器本体２は、１００Ｖの家庭用交流電源に入力端子４を介して低圧である一次側コイルが接続される昇圧トランス５と、この昇圧トランス５の一次側コイルと高圧である二次側コイルとの間に接続され、抵抗値の設定された抵抗器８と、この昇圧トランス５の二次側出力に直列及び並列にそれぞれ接続され、抵抗値の設定された直列抵抗器６及び並列抵抗器７とを有している。昇圧トランス５は、巻数比１：ｎ〔ｎは１より大きい数で、推奨値は、１：１０〕とされている。
【０００７】
網状電極体３は、機器本体２の直列抵抗器６の開放端に接続され、居住空間１０、具体的には一戸建て住宅の一室の床面、畳の下面、壁面等に容易に配置される。機器本体２は、居住空間の押入れ等の収納空間１１に設置すればよい。図２には、畳１２を外して、網状電極体３を敷設している様子を示している。敷設後の通常使用状態では、畳１２を元に戻すことは言うまでもない。網状電極体３は、予め金属細線に絶縁被膜による表面処理を行ったものをネット状に編み、感電が起こらないようにしている。なお、金属線を網状に編み、その後これら網状電極シートをゴムやプラスチック等の絶縁物で被膜して感電しないようにすることが望ましい。
【０００８】
具体的な回路構成として、抵抗器8を１ＭΩに、抵抗器７を２ＭΩに、抵抗器６を３ＭΩに設定し、１００Ｖの家庭用電源から昇圧トランス５の一次側コイルに電力を付加し二次側コイルの電圧が１０００Ｖ以上となり、網状電極体３に約０．１〜１．０ｍＡのような微弱ｍＡの電流が流れるようにした。昇圧トランス５の一次側コイルの電圧や、昇圧トランス５の巻数比、二次側コイルの電圧、各抵抗器８，７，６の抵抗値などは、居住空間１０の大きさその他の条件などに応じて適宜設定することができる。各抵抗器８，７，６は、固定抵抗器としてもよいし可変抵抗器としてもよい。
【０００９】
次に、本実施形態の居住空間用電磁場形成装置１の使用状態を説明する。機器本体２の電源をオンとし、動作させることで、網状電極体３により居住空間１０に電磁場が形成される。ここに、昇圧トランス５に対して特殊な配置構成で挿入された各抵抗器８，７，６及び網状電極体３により居住空間１０の空間電位・電磁場の強弱等の調節ができる。そして、この電磁場により、居住空間に存在する空気中のイオンバランスに変化を与え、あるいはマイナスイオンの偏在を促進させることができ、空気を好適に保つことができる。ここに、開放電極である網状電極体３の大きさ、印加電圧の設定により、電位・電磁場の強弱等の調節ができ、その結果、目的とする居住空間容積に対する影響度を調節することが可能である。
【００１０】
この居住空間用電磁場形成装置１によると、室内の空気を清浄化して澄んだ空気とし、煙草その他の臭いを消臭することにも効果があると考えられる。また、電磁場による電位差の影響により呼吸器等によい効果を及ぼし、人間の細胞に活力を与え、血液を浄化して循環をよくし、神経系の異常を除き、健康増進・体質改善を図る上で効果があると考えられる。また、空間内に活性炭等の吸着性の物質を設置した場合、吸着能力が増大し消臭効果があると共に、シックハウス（低ホルムアルデヒド等）の元となるＶｏｃ（揮発性有機化合物）の吸着効果があると考えられる。また、空間内のイオン化により空気中の浮遊菌（雑菌）やかび菌（糸状菌）の増大を抑制し快適で安全な空間を得る効果が見込まれる。また、電磁場による電位差の振動の影響により鼠虫害の忌嫌効果も予測される。
【実施例】
【００１１】
本発明を実施することにより得られる効果を検証するために、次のようなデータを測定した（２００４年〜２００５年）。一戸建て住宅Ａ（Ａ号地）、住所Ｂ（Ｂ号地）のリビング及び和室に、上記居住空間用電磁場形成装置１を設置した（実施例）。一方、その二階の中央の部屋には居住空間用電磁場形成装置１は設置しなかった（比較例）。
【００１２】
前記一戸建て住宅Ａ（Ａ号地）、住宅Ｂ（Ｂ号地）のリビング、和室、二階の中央各部屋について、月毎に１回ずつ晴れた日にマイナスイオン値（個／ｃｃ）を測定した。マイナスイオン値の測定は、アンデス電気社製の計測器（空気カウンターＩＴＣ―２０１Ａ）により行った。二階の中央各部屋のみ本装置を非設置である。その結果を表１に示す。
【００１３】
【表１】
2007242240.tif 000003
【００１４】
マイナスイオン数値が小さい月は、その日の湿気などに影響されていることが考えられる。「−」は測定していないことを示す。表１の測定データから、いずれの場合も、実施例のマイナスイオン数値は比較例のマイナスイオン数値より非常に大きなものとなっていることが分かる。
【００１５】
次に、前記一戸建て住宅Ａ（Ａ号地）、住宅Ｂ（Ｂ号地）のリビング、二階の中央の各部屋について、月毎に一回ずつ晴れた日にホルムアルデヒド値（単位；ｐｐｍ）を測定した。ホルムアルデヒド値の測定は、理研計器製ホルムアルデヒド検知器FP−３０により行った。二階の中央各部屋は本装置を非設置である。その結果を表２に示す。  
【００１６】
【表２】
2007242240.tif 000004
【００１７】
表２の測定データから、実施例のホルムアルデヒド値は、比較例のホルムアルデヒド値よりも小さなものとなっており、これは、空気が清浄化されていることを示していると考えられる。
【図面の簡単な説明】
【００１８】
【図１】本発明の一実施形態に係る居住空間用電磁場形成装置の設置状況を示す外観図。
【図２】同上装置の電気回路図。
【符号の説明】
【００１９】
１  居住空間用電磁場形成装置
２  機器本体
３  網状電極体
５  昇圧トランス
６，７，８  抵抗器
９  電線
１０  居住空間
【図１】
2007242240.tif 000005
【図２】
2007242240.tif 000006